(57)【要約】【課題】接着剤による光学機構の機能低下または動作不良が生じる可能性を低減する。【解決手段】カメラモジュール（１００）が備えるレンズホルダ（４）は、レンズホルダ（４）に対してレンズバレル（１４）を固定させるために接着剤（７０）が注入されたときに、レンズホルダ（４）の内壁（４ａ）とレンズバレル（１４）との接合領域（Ｒ）の外側に漏れ出た接着剤（７０）を受入れ可能な受入部（１）を有している。【選択図】図１
2014178374.tif 000002
【特許請求の範囲】
【請求項１】
撮像レンズを保持するレンズバレルと、当該レンズバレルを保持するレンズホルダとを備えているカメラモジュールであって、
上記レンズホルダは、上記レンズホルダに対して上記レンズバレルを固定させるために接着剤が注入されたときに、上記レンズホルダの内壁と上記レンズバレルとの接合領域の外側に漏れ出た接着剤を受入れ可能な受入部を有していることを特徴とするカメラモジュール。
【請求項２】
上記受入部は、上記レンズホルダの内壁の、上記撮像レンズを通過する光の光路を妨げない位置に設けられていることを特徴とする請求項１に記載のカメラモジュール。
【請求項３】
上記受入部は、上記レンズホルダの底面近傍に設けられていることを特徴とする請求項１または２に記載のカメラモジュール。
【請求項４】
撮像レンズを保持するレンズバレルと、当該レンズバレルを保持するレンズホルダとを備えているカメラモジュールであって、
上記レンズホルダは、上記レンズホルダに対して上記レンズバレルを固定させるために注入された接着剤のうち、上記レンズホルダの内壁と上記レンズバレルとの接合領域に流入されなかった接着剤を上記レンズホルダの外壁に沿って流すことが可能な流路を有していることを特徴とするカメラモジュール。
【請求項５】
上記流路の端部には、当該流路を流れた接着剤を受入れ可能な第２受入部が設けられていることを特徴とする請求項４に記載のカメラモジュール。
【発明の詳細な説明】
【技術分野】
【０００１】
本発明は、携帯電話機等の小型情報端末に搭載されるカメラモジュールに関するものである。
【背景技術】
【０００２】
近年、小型情報端末（例えばスマートフォン等）に搭載されるカメラモジュールは、当該小型情報端末の高機能化に伴い、オートフォーカス機能または手振れ補正機能等を発揮する光学機構を持つに至っている。例えば、そのようなカメラモジュール（固体撮像装置）の例として、特許文献１および２が挙げられる。
【０００３】
特許文献１には、図１６に示すようなカメラモジュール１０００が開示されている。このカメラモジュール１０００では、レンズバレル１００２をレンズホルダ１００３に対して光軸方向に摺動させることによって、撮像レンズ１００１の光軸方向の位置が最適位置に調整されている。また、レンズホルダ１００３は、凹部１００６および突起１００８を有している。
【０００４】
また、特許文献２には、図１７に示すような固体撮像装置１１００が開示されている。この固体撮像装置１１００は、筐体１１０２の雌ねじ部１１０５と光学部品１１０１の雄ねじ部１１０６とを螺合させ、光学部品支持部１１０３の開口端部の雌ねじ部１１０５の一部に設けられた凹部１１０４から接着剤が塗布され、光学部品１１０１と筐体１１０２とが固定されることにより製造される。
【先行技術文献】
【特許文献】
【０００５】
【特許文献１】特開２０１０−２３０９１０号公報（２０１０年１０月１４日公開）
【特許文献２】特開２００８−１２４７９６号公報（２００８年０５月２９日公開）
【発明の概要】
【発明が解決しようとする課題】
【０００６】
例えば、特許文献１にも記載されているように、撮像レンズ１００１が所定の焦点距離となるように調整された位置において、レンズバレル１００２をレンズホルダ１００３に固定するために、接着剤が塗布される。
【０００７】
一般に、カメラモジュールは多機種にわたっており、機種によっては製造量が少ないものもある。そのため、上記焦点距離の調整および上記２つの部材の固定（接着）を機械化するための作業用ロボットまたはプログラムには多大なコストを要するゆえ、現状では、これらの作業は手作業にて行われている。また、上記接着剤としては、レンズバレル１００２とレンズホルダ１００３との間に接着剤が浸入しやすいように、比較的低粘度のものが用いられることが多い。
【０００８】
そのため、上記接着剤が、上記固定に必要な量を超えて過剰に滴下されてしまう可能性がある。この場合、カメラモジュール１０００では、その不要な接着剤によって、レンズホルダ１００３が、レンズバレル１００２以外の部品（例えばカバー１００４またはベース１００５）と接着してしまい、レンズホルダ１００３等からなる光学機構が動作せず、オートフォーカス機能または手振れ補正機能が発揮されなくなる可能性があった。
【０００９】
また、カメラモジュール１０００では、凹部１００６の上端部１００７ａおよび下端部１００７ｂが同じ大きさおよび形状で作製されることが想定される。この場合、凹部１００６に上記不要な接着剤を留められず、当該接着剤がレンズホルダ１００３の底部にまで流れてしまい、レンズホルダ１００３がレンズバレル１００２以外の部品と接着してしまう可能性があった。また、接着剤の低粘性から、上記不要な接着剤を突起１００８によって留めておくことは困難であり、レンズホルダ１００３の、ベース１００５に接触可能な底面への流れ、または撮像素子１００９への滴下を防止することは困難であった。
【００１０】
さらに、カメラモジュール１０００においては、上記不要な接着剤のレンズホルダ１００３の外壁への流れを抑制する機構については、特に開示されていない。
【００１１】
また、固体撮像装置１１００では、凹部１１０４に過剰な接着剤が流入された場合に、凹部１１０４から溢れ出た接着剤を受け止める機構がない。そのため、接着を意図しない箇所に接着剤が塗布されてしまい、光学機能が発揮できなくなる可能性があった。
【００１２】
本発明は、上記の問題を解決するためになされたものであり、その目的は、接着剤による光学機構の機能低下または動作不良が生じる可能性を低減することが可能なカメラモジュールを提供することである。
【課題を解決するための手段】
【００１３】
本発明の一態様に係るカメラモジュールは、上記の課題を解決するために、
撮像レンズを保持するレンズバレルと、当該レンズバレルを保持するレンズホルダとを備えているカメラモジュールであって、
上記レンズホルダは、上記レンズホルダに対して上記レンズバレルを固定させるために接着剤が注入されたときに、上記レンズホルダの内壁と上記レンズバレルとの接合領域の外側に漏れ出た接着剤を受入れ可能な受入部を有している。
【００１４】
さらに、本発明の一態様に係るカメラモジュールは、上記の課題を解決するために、
撮像レンズを保持するレンズバレルと、当該レンズバレルを保持するレンズホルダとを備えているカメラモジュールであって、
上記レンズホルダは、上記レンズホルダに対して上記レンズバレルを固定させるために注入された接着剤のうち、上記レンズホルダの内壁と上記レンズバレルとの間に流入されなかった接着剤を上記レンズホルダの外壁に沿って流すことが可能な流路を有している。
【発明の効果】
【００１５】
本発明の一態様によれば、接着剤による光学機構の機能低下または動作不良が生じる可能性を低減することができるという効果を奏する。
【図面の簡単な説明】
【００１６】
【図１】本発明の一実施形態に係るカメラモジュールが備えるレンズホルダの構造の一例を示す図であり、（ａ）はその断面図、（ｂ）はその上面図である。
【図２】上記カメラモジュールの外観の一例を示す斜視図である。
【図３】図２に示すカメラモジュールのＡ−Ａ矢視断面図である。
【図４】上記カメラモジュールの組み立て工程の一例を示すフローチャートである。
【図５】カメラモジュールの組み立て工程中の作業状況を説明するための図である。
【図６】カメラモジュールの組み立て工程中の作業状況を説明するための図である。
【図７】比較例としてのカメラモジュールの概略断面図の一例を示す図である。
【図８】比較例としてのカメラモジュールの概略断面図の一例を示す図である。
【図９】本発明の別の一実施形態に係るカメラモジュールの一例を示す断面図である。
【図１０】図９に示すカメラモジュールが備えるレンズホルダの構造の一例を示す図であり、（ａ）はその断面図、（ｂ）はその上面図である。
【図１１】比較例としてのカメラモジュールの概略断面図の一例を示す図である。
【図１２】本発明のさらに別の一実施形態に係るカメラモジュールの一例を示す断面図である。
【図１３】図１２に示すカメラモジュールが備えるレンズホルダの構造の一例を示す図であり、（ａ）はその断面図、（ｂ）はその上面図である。
【図１４】本発明のさらに別の一実施形態に係るカメラモジュールの一例を示す断面図である。
【図１５】図１４に示すカメラモジュールが備えるレンズホルダの構造の一例を示す図であり、（ａ）はその断面図、（ｂ）はその上面図である。
【図１６】従来のカメラモジュールの構成を示す断面図である。
【図１７】従来のカメラモジュールの構成を示す斜視図である。
【発明を実施するための形態】
【００１７】
以下、本発明の実施の形態について、図１〜図１５に基づいて説明する。
【００１８】
〔実施形態１〕
（カメラモジュール１００の外観）
まず、図２に基づいて、本実施形態に係るカメラモジュール１００の外観について説明する。図２は、本実施形態のカメラモジュールの斜視図である。
【００１９】
カメラモジュール１００は、撮像光学系である光学部５、光学部５を駆動するレンズ駆動装置６、光学部５を経由した光の光電変換を行う撮像部７とから構成される。光学部５は、レンズ駆動装置６の内部に保持されている。撮像部７は、センサ部８と、センサ部８が実装される基板９とから構成される。カメラモジュール１００は、基板９上に、センサ部８、レンズ駆動装置６が、この順に光軸方向（Ｚ軸方向）に積層された構成である。以下の説明では、便宜上、光学部５側を上方（＋Ｚ軸方向）、撮像部７側を下方（−Ｚ軸方向）とする。
【００２０】
（カメラモジュール１００の全体構造）
次に、図３に基づき、カメラモジュール１００の全体構造について説明する。図３は、図２のカメラモジュール１００のＡ−Ａ矢視断面図であり、カメラモジュール１００の中央部を光軸方向に切断した断面図である。
【００２１】
光学部５は、被写体像を形成する撮像光学系であり、外部の光を撮像部７のセンサ部８へ導く。光学部５は、複数（図３では２枚）の撮像レンズ１０と、撮像レンズ１０を保持するレンズバレル１４とから構成される。レンズバレル１４は、レンズ駆動装置６に固定されている。撮像レンズ１０の光軸（Ｚ軸方向）は、レンズバレル１４の軸心と一致している。
【００２２】
レンズ駆動装置６は、電磁力によって、光学部５を光軸方向に駆動する。すなわち、レンズ駆動装置６は、無限遠端（レンズホルダ４の底面２とベース１７との接触位置（当接部））からマクロ端（カバー１２との接触位置）の間で、撮像レンズ１０をＺ軸方向に上下動させる。これにより、カメラモジュール１００が、オートフォーカス機能を発揮する。また、レンズ駆動装置６は、光軸と垂直な平面方向（Ｘ方向およびＹ方向）にも動くことにより、カメラモジュール１００が手振れ補正機能を発揮する。カメラモジュール１００には、ＶＣＭ（Voice Coil Motor ボイスコイルモータ）タイプのレンズ駆動装置６が搭載されているが、これに限らず、レンズ駆動装置６はステッピングモータを利用するタイプ、圧電素子を利用するタイプ等で実現されていてもよい。
【００２３】
レンズ駆動装置６は、撮像レンズ１０の駆動時に、光軸方向に移動して光学部５（撮像レンズ１０）を光軸方向に移動させる可動部と、撮像レンズ１０の駆動時に位置が変動しない固定部を備えている。可動部は、固定部の内部に収容されている。可動部は、レンズホルダ４およびコイル１６から構成されており、固定部は、カバー１２，ヨーク１３，永久磁石１５，およびベース１７から構成されている。
【００２４】
具体的には、レンズ駆動装置６は、レンズバレル１４を内部に保持するレンズホルダ４が、カバー１２，ヨーク１３，およびベース１７により形成された空間内に、収容された構成となっている。
【００２５】
レンズホルダ４は、撮像レンズ１０を保持したレンズバレル１４を、内部に保持している。レンズバレル１４およびレンズホルダ４は、いずれも中空（円筒）形状の部材である。具体的には、レンズホルダ４の内径は、レンズバレル１４の外径よりもやや大きく、レンズホルダ４の中央に、レンズバレル１４が装着される。レンズホルダ４の軸心は、撮像レンズ１０の光軸およびレンズバレル１４の軸心に一致している。
【００２６】
また、レンズホルダ４の、レンズバレル１４との接合領域Ｒには、レンズバレル１４の外側面に形成された雄ねじ部と螺合するように、雌ねじ部が形成されている。これにより、カメラモジュール１００の製造時に、レンズバレル１４を光軸方向に移動させて、撮像レンズ１０の焦点距離（撮像素子１９の受光面から撮像レンズ１０までの距離）を調整することが可能となる。なお、レンズホルダ４とレンズバレル１４との接合領域Ｒ（ねじ切りが形成された領域）は平坦であってもよい。
【００２７】
また、レンズホルダ４は、ベース１７と接触する底面２の近傍に、レンズホルダ４の内壁４ａを沿って、レンズホルダ４とレンズバレル１４との接合領域Ｒから漏れ出た接着剤７０（図６参照）を受け入れ可能な受け部（受入部）１を有している。この接着剤７０は、レンズホルダ４の頭頂部４ｃの近傍（レンズバレル１４の、上面開口部１１側の端部である上端部の近傍）の滴下領域２３に滴下される。受け部１の詳細については後述する。
【００２８】
レンズバレル１４は、接着剤７０によってレンズホルダ４に接着されている。つまり、撮像レンズ１０が光軸方向の位置が調整された状態で、レンズバレル１４が、レンズホルダ４に固定されている。これにより、調整された撮像レンズ１０の位置がずれること防止することができる。
【００２９】
接着剤７０としては、例えば、熱硬化型のＵＶ接着剤、または、嫌気性のＵＶ接着剤を用いるのが好ましい。これにより、レンズホルダ４とレンズバレル１４との隙間に入り込んだ接着剤７０は、熱硬化あるいは嫌気硬化させることができる。一方、表面に盛り上がってフィレットを形成している接着剤７０は、ＵＶ硬化させることが可能となる。
【００３０】
また、接着剤７０としては、レンズホルダ４とレンズバレル１４との接合領域Ｒに浸透しやすいように比較的粘度の低いものが好ましく、例えば、いわゆるネジロック剤(固着剤：スリーボンド社製のネジロック１４０１Ｂ等)が用いられる。例えば、その粘度は、３５０ｍＰａ・ｓ程度である。これにより、接合領域Ｒに十分に接着剤７０が行き渡るようにすることができる。また、接着剤７０の粘度が高い場合、ディスペンサ６１およびニードル６２（図６参照）が詰まる頻度が高くなり、部材交換に費用がかかってしまうことになるが、低粘度のものを使用すればそのような事態を防ぐことができる。
【００３１】
レンズホルダ４の外周端部（フランジ部）には、コイル１６が固定されている。コイル１６は、レンズホルダ４の外周端部（底部の一部）から、光入射側（上面開口部１１側）に延設されている。
【００３２】
ベース１７は、レンズ駆動装置６の底部を構成しており、ベース１７の裏面にセンサ部８が設けられる。ベース１７の中央部には、光路を確保するために底面が形成されている。
【００３３】
ヨーク１３は、筒状の部材であり、レンズ駆動装置６の側面部を構成している。ヨーク１３は、内部に可動部を収容する。ヨーク１３はベース１７上に固定されている。本実施形態では、ヨーク１３の上方に、カバー１２が設けられている。カバー１２は、レンズ駆動装置６の上部（天面）を構成している。カバー１２の中央部には、光路を確保するために上面開口部１１が形成されている。なお、ヨーク１３自体が、カバーの役割を果たすことで、カバー１２を省略してもかまわない。この場合の上面開口部１１は、ヨーク１３に形成される。
【００３４】
ヨーク１３の内側面には、コイル１６と対向するように、永久磁石１５からなる磁気回路が配置されている。また、ヨーク１３の一部分であり、レンズ駆動装置６の内部にレンズホルダ４の底部と対向するように略垂直に設けられた内側外周部は、その内側外周壁１３ａがレンズホルダ４の外壁（側壁）４ｂと対向するように設けられている。
【００３５】
レンズ駆動装置６は、コイル１６と永久磁石１５とにより発生させた電磁力により、撮像レンズ１０を光軸方向に駆動する。具体的には、本実施形態では、永久磁石１５によって形成される磁場中のコイル１６に電流を流すことで発生する力によって、撮像レンズ１０（レンズホルダ４）を光軸方向に駆動することが可能となる。
【００３６】
また、本実施形態のレンズ駆動装置６では、レンズホルダ４の上面（頭頂部４ｃの表面、レンズホルダ４の天面）と下面（ベース１７と接触しない底面の一部）とには、それぞれ板ばね２１ａ，２１ｂが設けられている。板ばね２１ａ，２１ｂは、レンズホルダ４を、光軸方向に押圧する。つまり、板ばね２１ａ，２１ｂは、弾性力により、補助的にレンズホルダ４を光軸方向に可動に支持している。板ばね２１ａ，２１ｂは、渦巻状のパターンを有している。本実施形態では、板ばね２１ａ，２１ｂは、一端がヨーク１３またはベース１７に、他端がレンズホルダ４に固定されている。しかし、板ばね２１ａ，２１ｂは、一端が可動部に、他端が固定部に固定されていればよい。
【００３７】
なお、図３に示すカメラモジュール１００の組立状態では、レンズホルダ４の底面２がベース１７に当接しつつ、板ばね２１ａ，２１ｂの弾性力により、レンズホルダ４には下方向（−Ｚ方向）に与圧がかけられている。また、板ばね２１ａ，２１ｂの弾性力は、容易に人手で押し下げられ、例えば接着剤７０の滴下時にニードル６２（図６参照）の接触によっても押し下げられる程度である。
【００３８】
さらに、レンズ駆動装置６では、ベース１７の上面（レンズホルダ４との対向面）の一部に溝（不図示）が形成され、当該溝に粘着性のダストトラップ剤が塗布されていてもよい。この場合、ベース１７上に移動した異物を、ダストトラップ剤によって捕捉することができる。
【００３９】
次に、撮像部７は、レンズ駆動装置６の底面（ベース１７のセンサ部８との接合面（ベース１７の底面））側に設けられており、光学部５から入射された入射光を光電変換する。撮像部７は、センサ部８と、センサ部８が実装される基板９とから構成されている。センサ部８は、ガラス板２０、撮像素子（センサチップ）１９、センサカバー１８から構成され、これらが基板９上に固定されている。
【００４０】
撮像素子１９は、レンズ駆動装置６で形成された被写体像を、電気信号に変換する撮像素子である。つまり、レンズ駆動装置６の撮像レンズ１０を通して受光した光信号を電気信号に変換するセンサデバイスである。撮像素子１９は、例えば、ＣＣＤまたはＣＭＯＳセンサＩＣである。撮像素子１９の表面（上面）には、複数の画素がマトリクス状に配置された受光部（図示せず）が形成されている。この受光部は、レンズ駆動装置６から入射される光を結像する領域であり、画素エリアとも言い換えられる。
【００４１】
撮像素子１９は、この受光部（画素エリア）に結像された被写体像を電気信号に変換して、アナログの画像信号として出力する。つまり、この受光部で、光電変換が行われる。撮像素子１９の動作は、図示しないＤＳＰで制御され、撮像素子１９で生成された画像信号は、ＤＳＰで処理される。
【００４２】
センサカバー１８は、撮像素子１９の一部を覆うように構成されている。センサカバー１８は、撮像素子１９の受光部を避けて、撮像素子１９を覆っている。センサカバー１８には、光路を確保するために開口が形成されている。当該開口の面積は、撮像素子１９の受光部の面積およびガラス板２０表面の面積よりも大きい。このため、その開口内に、撮像素子１９の受光部およびガラス板２０が配置される。開口は、撮像レンズ１０を介して入射した光を、撮像素子１９の受光部に透過させる光透過領域となる。
【００４３】
センサカバー１８は、撮像素子１９の受光面（上面）に対して、センサカバー１８の上面までの距離が高精度に管理されている。センサカバー１８の下側の基準面は、撮像素子１９の上に載る搭載面であり、基板９側の面と基板９との間には隙間が形成されていてもかまわない。
【００４４】
ガラス板２０は、撮像素子１９の受光部を覆っており、透光性部材から構成されている。なお、本実施形態では、ガラス板２０の表面に、赤外線遮断膜（ＩＲカット膜）が形成されていてもよい。この場合には、ガラス板２０は、赤外線を遮断する機能も備えている。ガラス板２０は、センサカバー１８に対して取り付けても良いし、撮像素子１９上に接着剤を介して重ねて固定しても良い。図３では、ガラス板２０は、センサカバー１８に対して取り付けられており、かつ、撮像素子１９から離して取り付けられている。このように撮像素子１９からの距離を離した方が、ガラス板２０上に付着した異物の影響度（センサへの映りこみ）が小さくなるので望ましい。
【００４５】
基板９は、図示しないパターニングされた配線を有する。この配線によって、基板９とセンサ部８（撮像素子１９）とが互いに電気的に接続される。基板９は、例えば、プリント基板，またはセラミック基板などである。
【００４６】
このように、撮像部７では、撮像素子１９に入射した光信号が光電変換される。そして、変換された電気信号が基板９を通って、図示しないカメラモジュール１００の制御回路等に入力され、画像信号として取り出される。
【００４７】
また、カメラモジュール１００では、レンズバレル１４の光入射側端部に、突起部２２が形成されていてもよい。突起部２２は、レンズバレル１４の上端部から、光学部５での光の進行方向と逆方向（＋Ｚ方向）に突起した部分である。この突起部２２は、後述する撮像レンズ１０の位置調整時に、レンズバレル１４を把持するためのつかみしろとなる。
【００４８】
（組み立て工程）
次に、図４〜図６に基づき、製造段階におけるカメラモジュール１００の組み立て工程について説明する。図４は、カメラモジュール１００の組み立て工程の一例を示すフローチャートである。また、図５および図６は、組み立て工程中の作業状況を説明するための図である。ここでは特に、光学部５がレンズホルダ４に取り付けられる工程について説明する。
【００４９】
まず、レンズバレル１４に複数枚（本実施形態では２枚）の撮像レンズ１０を搭載する。具体的には、レンズバレル１４の所定の位置（例えば、図３に示すように突起部２２の直下）に接着剤を塗布し、その位置に撮像レンズ１０を取り付ける。その後、接着剤が硬化することにより、撮像レンズ１０がレンズバレル１４に固定され、光学部５が作成される（Ｓ１）。そして、光学部５をレンズホルダ４に嵌入する（Ｓ２）。
【００５０】
その次に、撮像レンズ１０の焦点を調整する（Ｓ３）。この工程を、図５を用いて具体的に説明する。
【００５１】
光学部５が嵌入されたカメラモジュール（光学部５とレンズホルダ４との接着前のカメラモジュール１００）の上部に、撮像レンズ１０の焦点位置を決定する位置決め装置をセットする。
【００５２】
位置決め装置は、焦点位置調整時の被撮像対象である焦点調整チャート５１と、撮像レンズ１０の焦点を調整するための焦点位置調整治具５２とを備えている。焦点位置調整治具５２は、レンズバレル１４の突起部２２（レンズバレル１４の上端部）を挟持し、レンズバレル１４を回転させることが可能な部材である。
【００５３】
焦点位置調整治具５２がレンズバレル１４を所定量だけ回転させて、レンズバレル１４をレンズホルダ４から繰り出す（またはレンズホルダ４にねじ込む）ことにより、レンズホルダ４に対する撮像レンズ１０の位置を変更する。その位置が変更されるたびに、焦点位置調整治具５２の開口５３を介して、焦点調整チャート５１の撮像が行われる。
【００５４】
その撮像結果としての画像データは、カメラモジュール１００から、焦点位置の検査を行う検査装置（不図示）に出力される。検査装置は、その画像データを解析して、焦点評価値（例えばコントラスト値）を算出し、表示装置（不図示）に表示する。作業者は、表示装置に表示された焦点評価値（合焦評価値）を確認することにより、焦点評価値が極大値をとるように、上記撮像レンズ１０の位置の微調整を行う。
【００５５】
すなわち、作業者は、この焦点評価値に基づいて、レンズバレル１４を移動させる移動分（繰り出し分またはねじ込み分）を決定し、焦点位置調整治具５２を操作することにより、その移動分だけ上記撮像レンズ１０の位置を移動させる。その後、上述のように、焦点調整チャート５１の撮像と、その撮像結果から得られる焦点評価値の確認が繰り返されることにより、上記撮像レンズ１０の位置（レンズバレル１４と撮像素子１９との距離）の調整が行われる。このとき、カメラモジュール１００では、図３のように、レンズ駆動装置６の可動部が無限遠側（−Ｚ方向）の基準（ＩＮＦ側メカ端、上述の当接部）に位置する状態で、撮像レンズ１０が無限遠位置となるようにその位置が調整されて固定されている。なお、この基準位置は、出荷テスト時の上記可動部の始動位置（動作開始点）となる。
【００５６】
上記焦点評価値が極大値を取ったとき、すなわち合焦状態となったとき、図６に示すように、作業者は、位置決め装置からカメラモジュール１００を取り外す（すなわち、焦点位置調整治具５２を取り除く）。そして、作業者は、その焦点の調整完了後に、ディスペンサ６１が備えるニードル６２の先端部をレンズホルダ４の頭頂部４ｃ（レンズバレル１４の上端部）に近づけ、接合領域Ｒへと接着剤７０を流入するために、その先端部から滴下領域２３へと接着剤７０を滴下する（Ｓ４）。このとき、作業者は、ディスペンサ６１と接続されている足踏みペダル（不図示）を操作することによって、ディスペンサ６１に送られる空気の量（すなわち空気圧）を調整し、接着剤７０を滴下する。
【００５７】
なお、焦点位置の調整前に接着剤７０を塗布した場合、焦点位置の調整中に塗布された接着剤７０が硬化してしまう可能性がある。このため、焦点位置の調整後に接着剤７０が塗布される。
【００５８】
そして、接着剤７０が硬化すれば、レンズバレル１４がレンズホルダ４に固定される。これにより、光学部５のレンズホルダ４への取り付けが完了する（Ｓ５）。
【００５９】
（受け部１の詳細）
次に、図１に基づいて、受け部１の具体的構成について説明する。図１は、受け部１を備えるレンズホルダ４の構造の一例を示す図であり、（ａ）はその断面図、（ｂ）はその上面図である。
【００６０】
受け部１は、レンズホルダ４の内壁４ａとレンズバレル１４との接合領域Ｒの外側に漏れ出た接着剤７０を受入れ可能なものであり、図１（ａ）に示すように、その内壁４ａ側に設けられている。また、受け部１は、図１（ｂ）に示すように、レンズホルダ４の内壁４ａに沿って、接合領域Ｒからレンズホルダ４の底面２側（ベース１７側）に漏れ出た接着剤７０を収容可能な位置に形成された凹部である。同図における斜線部分は、接着剤７０を収容可能な領域を指す。これにより、レンズホルダ４の底面２およびガラス板２０への接着剤７０の流れだし（たれ）を防ぐことができ、例えば底面２とベース１７との不要な接着、および、撮像画像への接着剤７０の映り込みを防止することができる。換言すれば、受け部１は、安全な箇所において、レンズホルダ４とレンズバレル１４との接着に不要な接着剤７０を収容（捕捉）することができる。
【００６１】
受け部１を有するレンズホルダ４は樹脂からなり、例えば金型により成形される。この場合、レンズホルダ４および受け部１は一体に形成される。この成形方法により、安価でかつ精度の高いレンズホルダ４（受け部１）を形成することができる。なお、例えば、受け部１およびレンズホルダ４を別々に形成し、レンズホルダ４に接着することで、レンズホルダ４に受け部１を設けてもよい。
【００６２】
また、図１（ａ）に示すように、レンズホルダ４の、ベース１７（図３参照）と接触する底面２の近傍に設けられている。すなわち、中空部を形成するレンズホルダ４（ホルダ貫通孔）の上記当接部近傍であって、底面開口部３近傍の、レンズホルダ４の内壁４ａ（内周縁）に設けられている。これにより、重力の影響を受けて接合領域Ｒから漏れ出た接着剤７０を確実に受け入れることができ、底面２への付着（底面２に対向するベース１７の表面）に付着することを防止することができる。
【００６３】
また、受け部１の大きさは、接合領域Ｒに過剰に塗布された接着剤７０を確実に収容できるように大きいことが好ましいが、一方で、受け部１の一部が撮像レンズ１０を通過する光の光路内に存在すると、被写体像に受け部１の一部が含まれてしまう。この場合、撮像画像に受け部１の一部が映り込み、被写体の撮像に影響を及ぼすことになる。そのため、受け部１は、図３に示すように、レンズホルダ４の内壁４ａの、撮像レンズ１０を通過する光の光路を妨げない位置に設けられていることが好ましい。
【００６４】
本実施形態では、図１（ａ）に示すように、受け部１の外壁１ａが、レンズバレル１４の内壁１４ａと面一となっている。すなわち、上記外壁１ａおよび内壁１４ａが同一平面上に存在するように、受け部１が設けられている。なお、受け部１の大きさは、カメラモジュール１００の大きさに依存するが、上記光路を妨げない位置に設けられていることを前提として、レンズバレル１４の内壁１４ａよりも外側（レンズバレル１４の軸心側）であってもよい。
【００６５】
（比較例との対比）
ここで、本実施形態のカメラモジュール１００が受け部１を備えていることの利点について、図７および図８に基づいて説明する。図７は、カメラモジュール１００の比較例としてのカメラモジュール２００の概略断面図の一例を示す図であり、図８は、カメラモジュール１００の比較例としてのカメラモジュール２０１の概略断面図の一例を示す図である。なお、カメラモジュール１００の部材と、カメラモジュール２００および２０１の部材とが同一の場合には同一の部材番号を付し、その説明を省略する。
【００６６】
図７に示すカメラモジュール２００は、レンズホルダ４の代わりに、内壁４０ａ、外壁４０ｂおよび頭頂部４０ｃを有するレンズホルダ４０を備えている点で異なる。具体的には、レンズホルダ４０には受け部１が設けられておらず、レンズホルダ４０の内壁４０ａが平坦となっている。なお、それ以外のレンズホルダ４０の構造および機能は、レンズホルダ４と同様である。
【００６７】
上述のように、接着剤としては比較的粘度の低いものが用いられる。また、レンズホルダとレンズバレルの固定は、ディスペンサおよび足踏みペダルを用いての手作業となるため、その固定に適した量の接着剤を滴下するのには、作業者にはかなりの熟練が要求される。また、必ずしも熟練した作業者が作業するとは限らない。さらに、レンズホルダおよびレンズバレルに形成されたねじ部（雄ねじ部・雌ねじ部）には製造バラつきが生じる可能性がある。そのため、上記固定に要するよりも多い過剰な接着剤が滴下領域に滴下され、レンズホルダとレンズバレルとの接合領域以外の箇所に接着剤が流れてしまう可能性がある。
【００６８】
図７の構造の場合、上記過剰な（レンズホルダ４０とレンズバレル１４との接着に必要な量より多い）接着剤７０が滴下領域２３に滴下された場合、接着剤７０の余剰分が接合領域Ｒから漏れ出て、レンズホルダ４０の内壁４０ａの底部側に浸み出し、ベース１７へと流れてしまう可能性がある。
【００６９】
この場合、ベース１７とレンズホルダ４０の底面２との間に接着剤７０が付着し、レンズホルダ４０がベース１７と接着（または接着剤７０がレンズホルダ４０の底面２において架橋して硬化）してしまい、出荷テスト時にカメラモジュール２００のオートフォーカス機能および手振れ補正機能が発揮されないという動作不良が生じてしまう可能性がある。また、ベース１７を伝ってガラス板２０まで流れてしまった場合には、ガラス板２０に接着剤７０が付着してしまい、撮像素子１９の撮像結果に影響を及ぼす可能性がある。すなわち、撮像画像に接着剤７０が映り込み、画像異常をきたすため、カメラモジュール２００が不良と判断されてしまう可能性がある。
【００７０】
また、図８に示すカメラモジュール２０１は、レンズホルダ４の代わりに、内壁４１ａ、外壁４１ｂおよび頭頂部４１ｃを有するレンズホルダ４１を備えている点で異なる。具体的には、レンズホルダ４１には受け部１が設けられておらず、レンズホルダ４１の底面２近傍に突起部４２が設けられている。なお、それ以外のレンズホルダ４１の構造および機能は、レンズホルダ４と同様である。
【００７１】
この場合、突起部４２が設けられていることにより、接合領域Ｒから浸み出してきた接着剤７０がベース１７側へと流れる可能性は、図７の場合に比べ低減される。しかし、接着剤７０は、上述のように比較的粘度が低いため、突起部４２の表面を伝ってベース１７側へと流れてしまう可能性がある。また、図８に示すように、突起部４２の表面を伝って流れた接着剤７０が、突起部４２から滴り落ち、ガラス板２０に付着してしまう可能性がある。したがって、カメラモジュール２０１においても、図７と同様、オートフォーカス機能等が発揮されない可能性、および、撮像素子１９の撮像結果に影響を及ぼす可能性がある。
【００７２】
一方、本実施形態のカメラモジュール１００は、レンズホルダ４に受け部１が設けられているため、上記のように接合領域Ｒから接着剤７０が漏れ出た場合であっても、受け部１においてその接着剤７０を収容することができる。これにより、上述のような、接着剤７０による撮像素子１９の撮像結果に影響を及ぼす可能性、および、ベース１７とレンズホルダ４とが固定されてしまうといった可能性を低減させることができる。それゆえ、カメラモジュール１００の、接着剤７０による光学機構の機能低下または動作不良が生じる可能性を低減することができる。
【００７３】
〔実施形態２〕
本発明の他の実施形態に係るカメラモジュール１０１について、図９および図１０に基づいて説明すれば、以下のとおりである。なお、説明の便宜上、前記実施形態にて説明した部材と同じ機能を有する部材については、同じ符号を付記し、その説明を省略する。図９は、カメラモジュール１０１の一例を示すＢ−Ｂ（図１０（ｂ）参照）矢視断面図である。また、図１０は、カメラモジュール１０１が備えるレンズホルダ２４の構造の一例を示す図であり、（ａ）はその断面図、（ｂ）はその上面図である。
【００７４】
本実施形態に係るカメラモジュール１０１は、図９に示すように、内壁４ａに受け部１が設けられたレンズホルダ４の代わりに、第１溝部（流路、流路の一部）２５ａ、第２溝部（流路）２５ｂおよび溜め部（第２受入部）２６が設けられたレンズホルダ２４が設けられた点で、カメラモジュール１００と異なる。
【００７５】
（レンズホルダ２４）
レンズホルダ２４は、内壁２４ａ、外壁２４ｂおよび頭頂部２４ｃを有しており、レンズホルダ２４の内壁２４ａとレンズバレル１４との接合領域Ｒに流入されなかった接着剤７０を、レンズホルダ２４の外壁２４ｂに沿って流すことが可能な第１溝部２５ａおよび第２溝部２５ｂを備えている。
【００７６】
図１０（ａ）および（ｂ）に示すように、第１溝部２５ａは、レンズホルダ２４の頭頂部２４ｃの一部に設けられている。換言すれば、第１溝部２５ａ（流路の一部）は、接着剤７０が滴下される側の、レンズホルダ２４の外壁２４ｂに対する側面である頭頂部２４ｃに形成されている。これにより、滴下領域２３から溢れ出た接着剤７０が、その接着剤７０の塗布を意図しない部分（カバー１２または撮像レンズ１０）への付着を確実に防止することができる。
【００７７】
また、第２溝部２５ｂは、レンズホルダ２４の外壁２４ｂの一部に設けられており、その一端部が、第１溝部２５ａの一端部と接続されている。これにより、第１溝部２５ａに流入した接着剤７０を第２溝部２５ｂへと流し込むことができる。
【００７８】
本実施形態では、第１溝部２５ａは、レンズホルダ２４の頭頂部２４ｃが有する４辺のそれぞれ略中央付近に１つずつ、計４か所に設けられている。また、第２溝部２５ｂは、レンズホルダ２４の４つの外壁２４ｂのそれぞれ略中央付近に１つずつ、計４か所設けられている。また、本実施形態では、第１溝部２５ａの幅（Ｙ方向の長さ）および深さ（Ｚ方向の長さ）と、第２溝部２５ｂの幅（Ｙ方向の長さ）および深さ（Ｘ方向の長さ）は略同一である。
【００７９】
なお、第１溝部２５ａおよび第２溝部２５ｂの個数、配置位置、形状および大きさは、接合領域Ｒに流入しなかった接着剤７０を、レンズホルダ２４の外壁２４ｂを伝ってその底部（溜め部２６）に流すことが可能なものであり、かつレンズホルダ２４の機能を損なわない程度に形成されていればよい。
【００８０】
溜め部２６は、第２溝部２５ｂの他端部と接続されており、第２溝部２５ｂを流れた接着剤７０を受入れ可能なものである。図９および図１０に示すように、溜め部２６は、レンズホルダ２４の底部の上面（コイル１６が設けられている平面）上に、外壁２４ｂに沿って１周にわたり溝が形成されることにより構成されている。また、溜め部２６は、上記底部の上面の、レンズホルダ２４の外壁２４ｂと撮像レンズ１０の駆動部品であるコイル１６の間に位置するように設けられている。
【００８１】
また、本実施形態では、図９に示すように、溜め部２６の外周壁２６ａが、ヨーク１３の内側外周壁１３ａと面一となっている。すなわち、上記外周壁２６ａおよび上記内側外周壁１３ａが同一平面上に存在するように、溜め部２６が設けられている。なお、溜め部２６の配置位置、形状および大きさは、第２溝部２５ｂを流れてきた接着剤７０を捕捉可能な構造となっていればよい。例えば、上記外周壁２６ａおよび上記内側外周壁１３ａが面一ではなく、外周壁２６ａが内側外周壁１３ａを含む平面よりも撮像素子１９側となるように（上記面一の場合よりも溜め部２６の容積が小さくなるように）、溜め部２６が設けられていてもよい。また、外壁２４ｂに沿って１周にわたり設けられていなくてもよく、例えば第２溝部２５ｂの他端部付近のみに設けられていてもよい。
【００８２】
また、レンズホルダ２４は樹脂からなり、例えば金型により成形される。この場合、レンズホルダ２４と、第１溝部２５ａ、第２溝部２５ｂおよび溜め部２６とは一体に形成される。この成形方法により、実施形態１と同様、安価でかつ精度の高いレンズホルダ２４（第１溝部２５ａ、第２溝部２５ｂおよび溜め部２６）を形成することができる。なお、第１溝部２５ａ、第２溝部２５ｂおよび溜め部２６と、レンズホルダ２４とを別々に形成してもよい。すなわち、第１溝部２５ａ、第２溝部２５ｂおよび溜め部２６がレンズホルダ２４に設けられた溝でなくてもよい。この場合、例えば、第１溝部２５ａおよび第２溝部２５ｂを筒状の部材に代え、溜め部２６を皿状の部材に代え、それらをレンズホルダ２４に接着してもよい。
【００８３】
（比較例との対比）
ここで、本実施形態のカメラモジュール１０１が第１溝部２５ａ、第２溝部２５ｂおよび溜め部２６を備えていることの利点について、図１１に基づいて説明する。図１１は、カメラモジュール１００の比較例としてのカメラモジュール２００の概略断面図の一例を示す図である。図１１に示すカメラモジュール２００は、図７に示す構造と同様であるが、図１１では、レンズ駆動装置６が光学部５を上面開口部１１側に固定した状態で、接着剤７０を接合領域Ｒに流し込んでいる様子を示している。
【００８４】
図７に示すカメラモジュール２００は、レンズホルダ２４の代わりに、第１溝部２５ａ等が設けられておらず、外壁４ｂと、コイル１６が設けられている平面とがともに平坦となっているレンズホルダ４０を備えている。
【００８５】
レンズバレル１４の雄ねじ部とレンズホルダ４の雌ねじ部との嵌合がよいため（その幅が狭いため）、低粘度の接着剤７０が用いられた場合であっても、接着剤７０が滴下領域２３に溜まってしまう可能性がある。図１１に示す状況の場合、過剰に滴下された接着剤７０が滴下領域２３から溢れ出し、板ばね２１ａ（頭頂部４０ｃ）とカバー１２の内壁とを接着してしまう可能性がある。この場合、カメラモジュール２００のオートフォーカス機能および手振れ補正機能が発揮されないという動作不良が生じてしまう可能性がある。また、その溢れ出た接着剤７０が突起部２２を超えて撮像レンズ１０側に流れ込んでしまう可能性がある。この場合、撮像レンズ１０に接着剤７０が付着してしまい、撮像素子１９の撮像結果に影響を及ぼす可能性がある。
【００８６】
一方、本実施形態のカメラモジュール１０１では、レンズホルダ２４に第１溝部２５ａおよび第２溝部２５ｂが設けられているため、上記のように接着剤７０が接合領域Ｒに流入されず滴下領域２３から漏れ出た場合であっても、その接着剤７０をレンズホルダ２４の外壁２４ｂに沿って流すことができる。これにより、上述のような、接着剤７０による撮像素子１９の撮像結果に影響を及ぼす可能性、および、カバー１２とレンズホルダ２４とが固定されてしまうといった可能性を低減させることができる。それゆえ、カメラモジュール１０１の、接着剤７０による光学機構の機能低下または動作不良が生じる可能性を低減することができる。
【００８７】
また、カメラモジュール１０１では、レンズホルダ２４に溜め部２６が設けられているので、第２溝部２５ｂから流れ出た接着剤７０が、接着剤７０の塗布を意図しない箇所に付着することをより確実に防止することができる。
【００８８】
なお、第１溝部２５ａおよび第２溝部２５ｂの両方を備えている必要は必ずしもなく、第１溝部２５ａのみを備える構成であってもよい。この場合であっても、第１溝部２５ａを流れた接着剤７０をレンズホルダ２４の外壁２４ｂに沿って流すことが可能である。また、第２溝部２５ｂは、レンズホルダ２４の底部まで設けられている必要は必ずしもなく、頭頂部２４ｃから外壁２４ｂの中途まで設けられた構成であってもよい。さらに、溜め部２６も必ずしも備えられた構成でなくてもよい。
【００８９】
〔実施形態３〕
本発明のさらに他の実施形態について、図１２および図１３に基づいて説明すれば、以下のとおりである。なお、説明の便宜上、前記実施形態にて説明した部材と同じ機能を有する部材については、同じ符号を付記し、その説明を省略する。図１２は、カメラモジュール１０２の一例を示すＣ−Ｃ（図１３（ｂ）参照）矢視断面図である。また、図１３は、カメラモジュール１０２が備えるレンズホルダ２７の構造の一例を示す図であり、（ａ）はその断面図、（ｂ）はその上面図である。
【００９０】
実施形態３に係るカメラモジュール１０２は、図１２に示すように、内壁２７ａ、外壁２７ｂおよび頭頂部２７ｃを有し、実施形態１の受け部１と、実施形態２の第１溝部２５ａ、第２溝部２５ｂおよび溜め部２６とが設けられたレンズホルダ２７を備えている。
【００９１】
したがって、カメラモジュール１０２の構成によれば、（１）接合領域Ｒから漏れ出た接着剤７０が光学機構の機能および撮像結果に及ぼす影響と、（２）接合領域Ｒに流入されず滴下領域２３から溢れ出た接着剤７０が光学機構の機能および撮像結果に及ぼす影響と、の両方を低減することができる。それゆえ、接着剤７０による光学機構の機能低下または動作不良が生じる可能性をより低減することができる。
【００９２】
〔実施形態４〕
本発明のさらに他の実施形態について、図１４および図１５に基づいて説明すれば、以下のとおりである。なお、説明の便宜上、前記実施形態にて説明した部材と同じ機能を有する部材については、同じ符号を付記し、その説明を省略する。図１４は、カメラモジュール１０３の一例を示すＤ−Ｄ（図１５（ｂ）参照）矢視断面図である。また、図１５は、カメラモジュール１０３が備えるレンズホルダ２８の構造の一例を示す図であり、（ａ）はその断面図、（ｂ）はその上面図である。
【００９３】
実施形態４に係るカメラモジュール１０３は、図１４に示すように、実施形態３のレンズホルダ２７と同様、内壁２８ａ、外壁２８ｂおよび頭頂部２８ｃを有しており、実施形態１の受け部１と、実施形態２の第１溝部２５ａ、第２溝部２５ｂおよび溜め部２６とが設けられたレンズホルダ２８を備えている。
【００９４】
一方で、レンズホルダ２８は、レンズホルダ２８の底部の形状が、レンズホルダ２７の底部の形状とは異なっている。具体的には、レンズホルダ２８は、レンズホルダ２８の底部の上面の一部（コイル１６の搭載位置であるレンズホルダ２８の外周端部以外の部分）が接合領域Ｒの中央付近に位置するような形状となっている。すなわち、レンズホルダ２８は、外壁２８ｂの他に、第２溝部２５ｂが形成されず、レンズホルダ２８の外周端部とともにコイル１６を支持する第２外壁２８ｂ’を有する構成となっている。このように、レンズホルダ２４・２７に比べ、外壁２８ｂの長さ（Ｚ方向の長さ）が短い構造となっているので、カメラモジュール１０１・１０２に比べて、第２流路２５ｂ（Ｚ方向の長さ）の長さも短く、溜め部２６も上面開口部１１側に形成されている。
【００９５】
なお、カメラモジュール１０３には、ヨーク１３の代わりにヨーク２９が設けられている。カメラモジュール１０３では、レンズホルダ２８をレンズ駆動装置６の内部に収容できるように、ヨーク２９の一部分であり、レンズ駆動装置６の内部にレンズホルダ２８の底部と対向するように略垂直に設けられた内側外周部の内側外周壁２９ａの長さ（Ｚ方向の長さ）が、実施形態１〜３のヨーク１３の内側外周壁１３ａよりも短くなっている。ヨーク２９のその他の構成については、ヨーク１３と同様である。
【００９６】
カメラモジュール１０３の構成であっても、実施形態３と同様、（１）接合領域Ｒから漏れ出た接着剤７０が光学機構の機能および撮像結果に及ぼす影響と、（２）接合領域Ｒに流入されず滴下領域２３から溢れ出た接着剤７０が光学機構の機能および撮像結果に及ぼす影響と、の両方を低減させることができる。
【００９７】
また、実施形態１〜３では、コイル１６は、レンズホルダ２４の外周端部のみで支持された構成となっているが、本実施形態では、当該外周端部と第２外壁２８ｂ’との２か所において支持されている。それゆえ、実施形態１〜３に比べ、コイル１６を固定する面積が増えるので、コイル１６の安定性が向上し、光学機構の動作不良をさらに低減させることが可能となる。
【００９８】
〔まとめ〕
本発明の態様１に係るカメラモジュール（１００、１０２、１０３）は、
撮像レンズ（１０）を保持するレンズバレル（１４）と、当該レンズバレルを保持するレンズホルダ（４、２７、２８）とを備えているカメラモジュールであって、
上記レンズホルダは、上記レンズホルダに対して上記レンズバレルを固定させるために接着剤（７０）が注入されたときに、上記レンズホルダの内壁（４ａ、２７ａ、２８ａ）と上記レンズバレルとの接合領域（Ｒ）の外側に漏れ出た接着剤を受入れ可能な受入部を有している構成である。
【００９９】
上記の構成によれば、レンズホルダに受入部が設けられているため、接合領域から接着剤が漏れ出た場合であっても、その接着剤を受入部において収容することができる。これにより、漏れ出た接着剤がレンズホルダの内壁を伝って、その接着剤が塗布されることを意図しない部分（例えば、レンズホルダの底面（２）またはカメラモジュールが備える撮像素子（１９））に流れてしまうことを防止することができる。
【０１００】
例えば、レンズホルダの底面にまで接着剤が流れてしまった場合には、接着を要しない光学機構（例えばレンズ駆動装置６）の一部（例えばベース１７）とレンズホルダが接着されてしまう可能性がある。この場合、レンズホルダがその光学機構の一部と固定され、光学機構の所定の動作が阻止される結果、レンズホルダを含む上記光学機構が有するオートフォーカス機能または手振れ補正機能等の所定の機能が発揮されなくなってしまう。また、撮像素子に接着剤が付着した場合には、その撮像結果に影響を及ぼす可能性がある。
【０１０１】
上記のように、本発明の一態様の構成によれば、受入部により接着剤の塗布を意図しない部分への接着剤の付着を防止することができるので、上記所定の機能または上記撮像結果に影響を及ぼす可能性を低減することができる。すなわち、本発明の一態様に係るカメラモジュールでは、接着剤による光学機構の機能低下または動作不良が生じる可能性を低減することができる。
【０１０２】
さらに、本発明の態様２に係るカメラモジュールは、上記態様１において、
上記受入部は、上記レンズホルダの内壁の、上記撮像レンズを通過する光の光路を妨げない位置に設けられていることが好ましい。
【０１０３】
上記構成によれば、受入部が上記光路内に存在した場合、被写体の像に受入部が含まれてしまい、撮像結果に影響を及ぼしてしまうといった事態を防ぐことができる。すなわち、受入部を備えた構成であっても、撮像の品質を維持することができる。
【０１０４】
さらに、本発明の態様３に係るカメラモジュールは、上記態様２において、
上記受入部は、上記レンズホルダの底面（２）近傍に設けられていることが好ましい。
【０１０５】
一般に、接着剤は、その自重を利用して上記接合領域に塗布される。すなわち、接着剤は、レンズホルダの頭頂部（４ｃ、２７ｃ、２８ｃ）（底面とは反対側の上面を含む上端部）近傍から、接合領域へと流入される。上記の構成によれば、接合領域から底面方向へと漏れ出した接着剤を確実に受け入れることができる。
【０１０６】
さらに、本発明の態様４に係るカメラモジュール（１０１、１０２、１０３）は、
撮像レンズ（１０）を保持するレンズバレル（１４）と、当該レンズバレルを保持するレンズホルダ（２４、２７、２８）とを備えているカメラモジュールであって、
上記レンズホルダは、上記レンズホルダに対して上記レンズバレルを固定させるために注入された接着剤（７０）のうち、上記レンズホルダの内壁（２４ａ、２７ａ、２８ａ）と上記レンズバレルとの接合領域（Ｒ）に流入されなかった接着剤を上記レンズホルダの外壁（２４ｂ、２７ｂ、２８ｂ）に沿って流すことが可能な流路（第１溝部２５ａ、第２溝部２５ｂ）を有している。
【０１０７】
上記の構成によれば、レンズホルダに流路が設けられているため、接着剤が接合領域に流入されなかった場合であっても、その接着剤をレンズホルダの外壁に沿って流すことができる。すなわち、その流入されなかった接着剤がレンズホルダの内側に入り込み、その接着剤が塗布されることを意図しない部分（例えば、レンズホルダの頭頂部（２４ｃ、２７ｃ、２８ｃ）または撮像レンズ）に付着してしまうことを防止することができる。
【０１０８】
例えば、接着剤が接合領域に流入されずレンズホルダの頭頂部に滞留している場合には、接着を要しない接着を要しない光学機構（例えばレンズ駆動装置６）の一部（例えばカバー１２）とレンズホルダが接着されてしまう可能性がある。この場合、レンズホルダがその光学機構の一部と固定され、光学機構の所定の動作が阻止される結果、レンズホルダを含む上記光学機構が有するオートフォーカス機能または手振れ補正機能等の所定の機能が発揮されなくなってしまう。また、撮像レンズに接着剤が付着した場合には、その撮像結果に影響を及ぼす可能性がある。
【０１０９】
上記のように、本発明の一態様の構成によれば、流路により接着剤の塗布を意図しない部分への接着剤の付着を防止することができるので、上記所定の機能または上記撮像結果に影響を及ぼす可能性を低減することができる。すなわち、本発明の一態様に係るカメラモジュールでは、接着剤による光学機構の機能低下または動作不良が生じる可能性を低減することができる。
【０１１０】
さらに、本発明の態様５に係るカメラモジュールは、上記態様４において、
上記流路の端部には、当該流路を流れた接着剤を受入れ可能な第２受入部（溜め部２６）が設けられていることが好ましい。
【０１１１】
上記の構成によれば、流路から流れ出た接着剤を第２受入部に収容することができる。それゆえ、流路から流れ出た接着剤が、接着剤の塗布を意図しない箇所に付着することをより確実に防止することができる。
【０１１２】
さらに、本発明の態様６に係るカメラモジュールは、上記態様４または５において、
上記流路の一部は、上記接着剤が滴下される側の、上記レンズホルダの上記外壁に対する側面（頭頂部２４ｃ、２７ｃ、２８ｃ）に形成されていることが好ましい。
【０１１３】
上記の構成によれば、上記側面に流路が設けられているため、レンズホルダとレンズバレルとの接着に不要な接着剤の、当該接着剤の塗布を意図しない部分への付着を確実に防止することができる。
【０１１４】
〔本発明の別の表現〕
本発明の一態様に係るカメラモジュールは、固体撮像素子と、固体撮像素子上に被写体像を形成する光学部材バレル、ホルダと固体撮像素子を搭載する回路基板からなるカメラモジュールであって、バレルは、ホルダに嵌入され、ホルダに対して相対的に移動し、バレルとホルダは、接着剤によって固定され、固定の際に余剰の接着剤を捕捉できる機構を有する構成である。
【０１１５】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１１６】
本発明は、カメラモジュールに適用できる。特に、撮像素子、配線基板、レンズ等の光学機構及び鏡胴がパッケージされたカメラ付き携帯電話機、デジタルスチルカメラおよびセキュリティカメラなどの実装構造に好適に利用することができる。
【符号の説明】
【０１１７】
１      受け部（受入部）
２      底面
４      レンズホルダ
４ａ    内壁
４ｂ    外壁
１０    撮像レンズ
１４    レンズバレル
２４    レンズホルダ
２４ａ  内壁
２４ｂ  外壁
２４ｃ  頭頂部（外壁に対する側面）
２５ａ  第１溝部（流路、流路の一部）
２５ｂ  第２溝部（流路）
２６    溜め部（第２受入部）
２７    レンズホルダ
２７ａ  内壁
２７ｂ  外壁
２７ｃ  頭頂部（外壁に対する側面）
２８    レンズホルダ
２８ａ  内壁
２８ｂ  外壁
２８ｃ  頭頂部（外壁に対する側面）
７０    接着剤
１００  カメラモジュール
１０１  カメラモジュール
１０２  カメラモジュール
１０３  カメラモジュール
Ｒ      接合領域
【図１】
2014178374.tif 000003
【図２】
2014178374.tif 000004
【図３】
2014178374.tif 000005
【図４】
2014178374.tif 000006
【図５】
2014178374.tif 000007
【図６】
2014178374.tif 000008
【図７】
2014178374.tif 000009
【図８】
2014178374.tif 000010
【図９】
2014178374.tif 000011
【図１０】
2014178374.tif 000012
【図１１】
2014178374.tif 000013
【図１２】
2014178374.tif 000014
【図１３】
2014178374.tif 000015
【図１４】
2014178374.tif 000016
【図１５】
2014178374.tif 000017
【図１６】
2014178374.tif 000018
【図１７】
2014178374.tif 000019